(57)【要約】【課題】後視鏡の表面に付着する水滴を防止又除去する方法として水滴を吹き飛ばしたり払拭したりする方法はあったが構造が複雑な為に高価であった。【解決手段】自動車の後視鏡本体の構造を変えることなく、その自動車の後視鏡自体に取り付けられる着脱式水滴防止カバーで材質が鋏で切断できる柔らかく薄い平面のシートをカバー本体に使用し、その自動車の後視鏡と水滴防止カバーとの接合方法はシートの裏面の一片にマジックテープを貼り付け後視鏡の外壁面にもマジックテープを貼り付け、後視鏡の視界の調整はカバー自体に印刷した切断線になぞってカバーを切ることで調整するかまたは水滴防止カバーと後視鏡の外壁面で咬み合わせた位置をマジックテープ部でずらして調整することもできること特徴とする自動車の後視鏡に取り付ける着脱式水滴防止カバー。【選択図】  図３
2006312430.tif 000002
【特許請求の範囲】
【請求項１】
カバーの材質が鋏で切断できる柔らかく薄い平面のシートをカバー本体に使用して、その平面のシートの一片にマジックテープを貼り付けたことを特徴とする自動車の後視鏡に取り付ける着脱式水滴防止カバー。
【発明の詳細な説明】
【技術分野】
【０００１】  本発明は、自動車の後視鏡の表面に雨雪等により水滴が付着するのを防止する着脱可能に取り付けることが可能な水滴防止カバーに関するものである。
【背景技術】
【０００２】  従来、自動車の後視鏡の表面に雨雪等により水滴が付着するのを防止又する方法は
（イ）    鏡の表面に空気を吹きつけ、水滴を吹き飛ばす方法。
（例えば、特許文献１．２．３．４．５、実案文献６．７参照）
（ロ）    鏡の表面を親和性処理して、水滴を引き伸ばす方法。
（例えば、特許文献８．９参照）
（ハ）    鏡の表面を小型のワイパーで、水滴を払拭する方法。
（例えば、特許文献１０．実案文献１１参照）
（ニ）    鏡本体を共振させて、水滴を除去する方法。
（例えば、実案文献１２．１３参照）
（ホ）    鏡を熱線で熱くして、水滴を蒸発させる方法。
（例えば、特許文献１４参照）
等があった。【０００３】
【特許文献１】    特許開２００４−９０７４７号公報
【特許文献２】    特許開平  １１−３２１５８５号公報
【特許文献３】    特許開      ９−１５０７１５号公報
【特許文献４】    特許開平    ８−９１１２３号公報
【特許文献５】    特許開平    ７−２９１１０４号公報
【実案文献６】
実案開平    ６−８５１９号公報
【実案文献７】
実案開平    ６−５３３３６号公報【特許文献８】    特許開平    ６−１５８０３３号公報
【特許文献９】    特許開平  １０−１４６２５１号公報
【特許文献１０】    特許開平    ５−２７８５７１公報
【実案文献１１】
実案開平    ５−７５０３０号公報
【実案文献１２】
実案開平    ５−８９１３２号公報
【実案文献１３】
実案開平    ７−１９０３４号公報【特許文献１４】    特許開平    ６−２７０７７６号公報
【発明の開示】
【発明が解決しようとする課題】
【０００４】その為に、次の問題点があった。
前記の（イ）の場合、自動車が走行中は風圧を利用できるが自動車が停止中の場合は強制的に空気の圧縮を必要とした。
（ロ）の場合、親和性処理の効果の持続性が短い。
（ハ）の場合、ワイパー自体が鏡の表面を動作するので視界を妨げる。
（ハ）（ニ）（ホ）の場合、電源を供給する為のケーブルが必要で配線が難しかった。【０００５】  本発明はこれらの問題点を解決するために構造が容易で究めて材料費が安く且つ雨天時の後視鏡の視界を確保して交通事故を減らすことを目的とするものである。
【課題を解決するための手段】
【０００６】  本発明は上記目的を達成するためにカバーの材質が鋏で切断できる柔らかく薄い平面のシートをカバー本体に使用して、その平面のシートの一片にマジックテープを貼り付けた、その平面のシートの裏面の一片にはマジックテープのオス側を貼り付け後視鏡の外壁面に貼り付けるマジックテープのメス側はマジックテープのオス側よりも咬み合う面積を広くし、後視鏡に取り付ける着脱式水滴防止カバーのシートには手鋏でシートを切る為の切断線を印刷する。以上を特徴とする着脱式水滴防止カバーである。
【発明の効果】
【０００７】  雨が上空から降っても後視鏡の上部に取り付けたカバーにより、自動車が走行中でも停止中でも後視鏡の表面には水滴が付着しない。【０００８】  自動車の車種により又は運転者の身長差の違いにより、後視鏡の視界を水滴防止カバーが妨げる場合は手鋏でシートを切る為の切断線になぞって切り調整することができる。【０００９】  運転者の身長差の違いにより、後視鏡の視界を水滴防止カバーが妨げる場合は水滴防止カバーと後視鏡の外壁面とで咬み合わせた位置をマジックテープでずらして調整することができる。【０００１０】  雨が降らない日は、水滴防止カバーは柔らかい平面のシートなのでかさばらず後視鏡のマジックテープ部から引き離して自動車のトランク、ダッシュボード、サンバイザーの子袋等何処にでも収納できる。【００１１】  材質が柔らかいためカバー本体には復元力があり  雪がカバーに降り積もりカバー本体が歪んでも降り積もった雪はすぐに落下して後視鏡の視界を妨げない。【００１２】  カバー本体と後視鏡はマジックテープで密着状態なので時速１００キロメートル以上の前進走行でも風圧でカバー本体が後視鏡の外壁面から吹き飛ばされ落下することがない。【００１３】  自動車の後視鏡の取り付け部はフェンダーミラーとドアミラーがあるがどちらも着脱できる。
【発明を実施するための最良の形態】
【００１４】  以下本発明の実施の形態を図１〜図４に基づいて説明する。【００１５】  図１において材質が手鋏で切断できる柔らかく薄い平面のシート（１）を使用する。【００１６】  図２、図３において平面のシート（１）は後視鏡の視界を妨げない任意の長方形状にする。【００１７】  図１、図２、図３において平面のシート（１）の裏面の一片（２）に接着剤付マジックテープのオス（３）を貼り付ける。【００１８】図２、図３においてマジックテープのメス（４）側は後視鏡（７）の外壁面（５）に貼り付ける。【００１９】図１、図２、図３、図４において後視鏡（７）の外壁面（５）に貼り付けるマジックテープのメス（４）側の大きさは平面のシート（１）の裏面のマジックテープのオス（３）よりも広く長くする。【００２０】  図１において平面のシート（１）には手鋏でシートを切る為の切断線（６）を印刷する。
【実施例】
【００２１】以下本発明は上記構成で、これを使用するときは図４〜図５に基づいて説明する。【００２２】図４、図５において水滴防止カバーと後視鏡の外壁面（５）で貼り合わせた位置をマジックテープ部でずらして調整した着脱式水滴防止カバー。
【図面の簡単な説明】
【００２３】
【図１】  本発明の分解斜視図
【図２】  本発明の実施例を示す分解斜視図
【図３】  本発明の実施例を示す水滴防止カバーの中央寄り斜視図
【図４】  本発明の実施例を示す水滴防止カバーの右寄り斜視図
【図５】  本発明の実施例を示す水滴防止カバーの左寄り斜視図
【符号の説明】
【００２４】        １  シートカバー
２  シートカバーの片面
３  マジックテープのオス側
４  マジックテープのメス側
５  後視鏡の外壁面
６  印刷した切断線
７  後視鏡
【図１】
2006312430.tif 000003
【図２】
2006312430.tif 000004
【図３】
2006312430.tif 000005
【図４】
2006312430.tif 000006
【図５】
2006312430.tif 000007